(57)【要約】【課題】上側筐体と下側筐体とが開閉自在に連結された携帯電話機において、ユーザが叩く、振る等の操作で各種の設定が行えると共に、多機能の場合でも操作が複雑にならず、また、誤操作を低減できるようにしたものを提供する。【解決手段】加速度センサ３２は、携帯電話機１の筐体に加わる加速度を検出する。開閉センサ３３は、携帯電話機１の筐体が開かれている状態か閉じられている状態かを検出する。主制御部２１は、加速度センサ３２からの検出信号に基づいて、携帯電話機１の筐体が叩かれた又は振られたことを検出すると、筐体が開状態か閉状態かを判定し、筐体が開状態か閉状態かに応じて、筐体が叩かれた又は振られたことに対応する動作コマンドをメモリ２３から読み出し、携帯電話機１の筐体が開かれている状態か閉じられている状態かに応じて、対応する処理を行う。【選択図】図２
2012120077.tif 000002
【特許請求の範囲】
【請求項１】
上側筐体と下側筐体とが開閉自在に連結された筺体を有し、
前記筐体に加わる加速度を検出する加速度検出手段と、
前記筐体が開状態か閉状態かを検出する開閉検出手段と、
前記筐体が開状態か閉状態かに応じて、前記筐体が叩かれた又は振られたことに対応する動作コマンドを記憶する記憶手段と、
前記加速度検出手段の検出出力から、前記筐体が叩かれた又は振られたことを検出すると、前記開閉検出手段の検出出力から、前記筐体が開状態か閉状態かを判定し、前記筐体が開状態か閉状態かに応じて、前記筐体が叩かれた又は振られたことに対応する動作コマンドを前記記憶手段から読み出し、前記読み出された動作コマンドを実行する制御手段と
を備えることを特徴とする携帯電話機。
【請求項２】
前記記憶手段は、前記筐体が叩かれた又は振られた回数と動作コマンドとを対応させて記憶することを特徴とする請求項１に記載の携帯電話機。
【請求項３】
前記記憶手段に記憶する動作コマンドは、変更可能とされたことを特徴とする請求項１又は２に記載の携帯電話機。
【請求項４】
上側筐体と下側筐体とが開閉自在に連結された筺体を有する携帯電話機の動作設定方法であって、
前記携帯電話機は、前記筐体に加わる加速度を検出する加速度検出手段と、前記筐体が開状態か閉状態かを検出する開閉検出手段と、前記筐体が開状態か閉状態に応じて、前記筐体が叩かれた又は振られたことに対応する動作コマンドを記憶する記憶手段とを有しており、
前記加速度検出手段の検出出力から、前記筐体が叩かれた又は振られたことを検出する工程と、
前記開閉検出手段の検出出力から、前記筐体が開状態か閉状態かを判定する工程と、
前記筐体が開状態か閉状態かに応じて、前記筐体が叩かれた又は振られたことに対応する動作コマンドを前記記憶手段から読み出す工程と、
前記読み出された動作コマンドを実行する工程と
を含むことを特徴とする動作設定方法。
【請求項５】
上側筐体と下側筐体とが開閉自在に連結された筺体を有し、前記筐体に加わる加速度を検出する加速度検出手段と、前記筐体が開状態か閉状態かを検出する開閉検出手段と、前記筐体が開状態か閉状態かに応じて、前記筐体が叩かれた又は振られたことに対応する動作コマンドを記憶する記憶手段とを備える携帯電話機に、
前記加速度検出手段の検出出力から、前記筐体が叩かれた又は振られたことを検出するステップと、
前記開閉検出手段の検出出力から、前記筐体が開状態か閉状態かを判定するステップと、
前記筐体が開状態か閉状態かに応じて、前記筐体が叩かれた又は振られたことに対応する動作コマンドを前記記憶手段から読み出すステップと、
前記読み出された動作コマンドを実行するステップと
を実行させるためのプログラム。
【発明の詳細な説明】
【技術分野】
【０００１】
本発明は、携帯電話機、携帯電話機における動作設定方法およびプログラムに関する。
【背景技術】
【０００２】
ワンセグ放送（地上波テレビジョン放送の１セグメントを使って放送される携帯機器向けのテレビジョン放送）や、動画撮像や、静止画撮像や、ゲーム等、今日の携帯電話機は、多くの機能を有している。これら各種機能を使用する場合、現行の携帯電話機では、当該携帯電話機がメニューを表示し、ユーザは、このメニューに示される機能の中から、キー操作により使用したい機能を選択する。しかしながら、このようなメニュー選択では、使用したい機能にたどり着くまでに押下するキー回数が多くなり、時間がかかってしまう。
【０００３】
また、着信音が迷惑となる環境下でマナーモードに設定するのを忘れた状態で着信を受けてしまうような場合がある。このような場合、ユーザは、マナーモードに設定変更するなど、着信音を消す操作を行う必要がある。ところが、現行の携帯電話機では、必要な設定を行うのに、携帯電話機を開いて必要なキーを捜して押下するなどの操作を行う必要があり、この操作時間が長くかかってしまうと、その間、着信音を鳴らし続けることにより周囲に迷惑をかけてしまうおそれがある。
【０００４】
操作時間を短縮するための方法の１つに、頻繁に使用する機能については短縮操作キーを設け、１回または数回のキー操作で実行可能とする方法があるが、依然としてキー操作が必要である。携帯電話機の薄型化、小型化に伴って、一般に携帯電話機の個々のキーは小型化する傾向にあり、キーの押下は煩わしい操作となっている。
【０００５】
これに対して、特許文献１（特開２００８−１７６６４１号公報）、特許文献２（特開２００９−２７８２９４号公報）には、タップ操作（携帯電話機の筐体を指で叩く操作）により、携帯電話機のアプリケーションの起動処理等を行うことができるようにしたものが記載されている。また、このようなタップ処理では、タップ操作回数やタップ箇所で対応する処理を区別することが記載されている。
【先行技術文献】
【特許文献】
【０００６】
【特許文献１】特開２００８−１７６６４１号公報
【特許文献２】特開２００９−２７８２９４号公報
【発明の概要】
【発明が解決しようとする課題】
【０００７】
特許文献１及び特許文献２に示されるように、タップ操作により、携帯電話機のアプリケーションの起動処理等を行えるようにすると、必要なキーを操作するという処理が不要になり、キー操作に比べて、操作が簡単になり、操作性の向上を図ることができる。しかしながら、このようなタップ処理では、携帯電話機で設定できる機能が多くなると、タップ操作回数やタップ箇所とこれに対応する処理との関係が複雑になると共に、誤操作が多くなる。
【０００８】
また、特許文献１及び特許文献２に示されている技術では、誤操作が行われてもユーザが気付かない可能性がある。例えば、携帯電話機をタップする操作がテレビ機能の起動に割り当てられている場合に、携帯電話機を閉じた状態で、携帯電話機がタップされてテレビ機能が起動すると、携帯電話機を閉じた状態であるため、ユーザはテレビ機能が起動されたことに気づかずに、電力を無駄に消費してしまうおそれがある。
【０００９】
本発明は、上述の課題を解決することのできる携帯電話機、動作設定方法およびプログラムを提供することを目的としている。
【課題を解決するための手段】
【００１０】
この発明は上述した課題を解決するためになされたもので、本発明の一態様による携帯電話機は、上側筐体と下側筐体とが開閉自在に連結された筺体を有し、前記筐体に加わる加速度を検出する加速度検出手段と、前記筐体が開状態か閉状態かを検出する開閉検出手段と、前記筐体が開状態か閉状態かに応じて、前記筐体が叩かれた又は振られたことに対応する動作コマンドを記憶する記憶手段と、前記加速度検出手段の検出出力から、前記筐体が叩かれた又は振られたことを検出すると、前記開閉検出手段の検出出力から、前記筐体が開状態か閉状態かを判定し、前記筐体が開状態か閉状態かに応じて、前記筐体が叩かれた又は振られたことに対応する動作コマンドを前記記憶手段から読み出し、前記読み出された動作コマンドを実行する制御手段とを備えることを特徴とする。
【００１１】
また、本発明の一態様による動作設定方法は、上側筐体と下側筐体とが開閉自在に連結された筺体を有する携帯電話機の動作設定方法であって、前記携帯電話機は、前記筐体に加わる加速度を検出する加速度検出手段と、前記筐体が開状態か閉状態かを検出する開閉検出手段と、前記筐体が開状態か閉状態に応じて、前記筐体が叩かれた又は振られたことに対応する動作コマンドを記憶する記憶手段とを有しており、前記加速度検出手段の検出出力から、前記筐体が叩かれた又は振られたことを検出する工程と、前記開閉検出手段の検出出力から、前記筐体が開状態か閉状態かを判定する工程と、前記筐体が開状態か閉状態かに応じて、前記筐体が叩かれた又は振られたことに対応する動作コマンドを前記記憶手段から読み出す工程と、前記読み出された動作コマンドを実行する工程とを含むことを特徴とする。
【００１２】
また、本発明の一態様によるプログラムは、上側筐体と下側筐体とが開閉自在に連結された筺体を有し、前記筐体に加わる加速度を検出する加速度検出手段と、前記筐体が開状態か閉状態かを検出する開閉検出手段と、前記筐体が開状態か閉状態かに応じて、前記筐体が叩かれた又は振られたことに対応する動作コマンドを記憶する記憶手段とを備える携帯電話機に、前記加速度検出手段の検出出力から、前記筐体が叩かれた又は振られたことを検出するステップと、前記開閉検出手段の検出出力から、前記筐体が開状態か閉状態かを判定するステップと、前記筐体が開状態か閉状態かに応じて、前記筐体が叩かれた又は振られたことに対応する動作コマンドを前記記憶手段から読み出すステップと、前記読み出された動作コマンドを実行するステップとを実行させるためのプログラムである。
【発明の効果】
【００１３】
本発明によれば、ユーザが携帯電話機の筐体を叩く又は振る操作を行うと、携帯電話機が開いている状態か閉じている状態かに応じて、携帯電話機は、異なる処理を実行できる。これにより、多機能の場合でも操作が複雑にならず、また、誤操作を低減できる。
【図面の簡単な説明】
【００１４】
【図１】本発明の一実施形態の携帯電話機の外観の概略を示す外形図である。
【図２】同実施形態に係る携帯電話機の機能ブロック構成の概略を示す構成図である。
【図３】同実施形態に係る携帯電話機の筐体が叩かれた又は振られたときの処理の設定画面の例を示す図である。
【図４】同実施形態に係る携帯電話機における閉状態コマンドテーブル及び開状態コマンドテーブルの例を示す説明図である。
【図５】同実施形態に係る携帯電話機を叩く又は振る操作の例を示す説明図である。
【図６】同実施形態に係る携帯電話機の動作を示すフローチャートである。
【発明を実施するための形態】
【００１５】
以下、図面を参照して、本発明の実施の形態について説明する。
図１は、本発明の一実施形態における携帯電話機１の外観の概略を示す外形図である。図１（Ａ）は、携帯電話機１の筐体を開いた状態における、携帯電話機１の正面（携帯電話機１の筺体を閉じた状態において内側となる面）の各部の配置を示し、図１（Ｂ）は、携帯電話機１の筺体を開いた状態における、携帯電話機１の背面（携帯電話機１の筐体を開いた状態において外側となる面）の各部の配置を示し、図１（Ｃ）は携帯電話機１の筐体を閉じた状態における、各部の配置を示す。
【００１６】
図１に示すように、携帯電話機１は、上側筐体１０と、下側筐体１１と、上側筐体１０と下側筐体１１とを開閉自在に連結させるヒンジ部１２とを有する。
【００１７】
図１（Ａ）に示すように、上側筐体１０の正面には、その略々全面に渡って、正面表示部１５が配設される。正面表示部１５は、例えば液晶ディスプレイを有する。正面表示部１５は、電話機能利用時に、着信や送信の電話番号や住所録を表示する。また、正面表示部１５は、カメラ撮像（動画や静止画の撮像）時に、撮像した画像を表示する。また、正面表示部１５は、ＧＰＳ(Global Positioning System)ナビゲーション時には、地図画面を表示する他、テレビ受信時には、受信したテレビジョン放送の画面を表示する。また、上側筐体１０には、受話部１７が配設される。受話部１７は、電話機能使用時（通話時）に受話の出力を行うスピーカを有する。
【００１８】
下側筐体１１の正面には、その略々全面に渡って、操作部１３が配設される。操作部１３は、電話番号の入力等に用いるテンキーや、カーソルを移動させるためのカーソルキーや、通話開始及び終了キー等、各種のキーを有する。また、下側筐体１１の下側の中心に、送話部１４が配設される。送話部１４は、電話機能使用時（通話時）に送話の入力を受け付けるマイクロホンを有する。
【００１９】
図１（Ｂ）に示すように、携帯電話機１の上側筐体１０の背面には、撮像部１６と、背面表示部２０とが配設される。撮像部１６は、レンズ等の光学系と、ＣＣＤ(Charge Coupled Device)やＣＭＯＳ(Complementary Metal Oxide Semiconductor Field Effect Transistor)等のイメージセンサを有し、静止画や動画の撮像を行う。背面表示部２０は、例えば液晶ディスプレイを有する。携帯電話機１の背面の下側筐体１１には、外部に音を出力するためのスピーカ１９が配設される。
【００２０】
図２は、携帯電話機１の機能ブロック構成の概略を示す構成図である。同図において、携帯電話機１は、操作部１３と、送話部１４と、正面表示部１５と、撮像部１６と、受話部１７と、スピーカ１９と、背面表示部２０と、主制御部２１と、ＲＯＭ２２(Read Only Memory)２２と、メモリ２３と、無線通信部２６と、音声処理部２７と、ワンセグ受信部２８と、ＧＰＳ機能部２９と、近距離通信部３０と、音声増幅部３１と、加速度センサ３２と、開閉センサ３３とを備える。
【００２１】
図２において、主制御部２１は、携帯電話機１が有するＣＰＵ(Central Processing Unit)がＲＯＭ２２からプログラムを読み出して実行することにより実現され、携帯電話機１の各部の動作の制御を行う。ＲＯＭ２２には、主制御部２１の機能を実現するための基本プログラムや、各種のアプリケーションプログラムが記憶されている。メモリ２３には、各種のプリセットデータや、電話帳データや、メールのデータや、電話履歴や、写真情報等、各種のデータが記憶されている。
【００２２】
また、本実施形態においては、ＲＯＭ２２には、携帯電話機１の筐体が叩かれた又は振られたことに対応して携帯電話機１が行う処理を制御するためのプログラムが格納されている。また、メモリ２３には、携帯電話機１の筐体が叩かれた又は振られたことに対応して携帯電話機１が行う処理の設定情報が記憶されている。
【００２３】
図２において、無線通信部２６は、携帯電話網の基地局との間で、電波の送受信を行う。無線通信部２６が基地局との間で電波の送受信を行う際の通信方式としては、様々なものを用いることができる。例えば、ＧＳＭ(Global System for Mobile Communication)を用いてもよいし、ＣＤＭＡ(Code Division Multiple Access)や、ＷＣＤＭＡ(Wideband CDMA)など、他の通信方式を用いてもよい。音声処理部２７は、送話部１４からの入力音声信号や、受話部１７への出力音声信号の処理を行う。
【００２４】
撮像部１６は、前述したように、ＣＣＤやＣＭＯＳ等のイメージセンサを有する。撮像部１６は、撮像した画像信号を、例えばＪＰＥＧ(Joint Photographic Experts Group)方式により圧縮して、メモリ２３に書き込む。
【００２５】
ワンセグ受信部２８は、ワンセグテレビジョン放送を受信して、再生信号を生成する。ＧＰＳ機能部２９は、複数の衛星からの電波を受信して、現在地を測位する。
【００２６】
近距離通信部３０は、他の周辺機器との無線で接続してデータの送受信を行う。近距離通信部３０は、例えば、通信方式としてBluetoothを用いて通信を行う。
【００２７】
音声増幅部３１は、外部に出力するための音声信号を増幅して、スピーカ１９に出力する。
【００２８】
加速度センサ３２は、携帯電話機１の筐体が叩かれた又は振られたことを、加速度として検出する。なお、本実施形態では、加速度センサ３２は、携帯電話機１を叩くユーザ動作と、振るユーザ動作とを区別しない。また、主制御部２１は、加速度センサ３２の検出する加速度に基づいて、携帯電話機１の筺体が叩かれた又は振られた回数を検出する。具体的には、主制御部２１は、加速度センサ３２が所定の時間以内の間隔で検出する、携帯電話機１の筺体を叩く又は振るユーザ動作（以下では、単に「叩く又は振るユーザ動作」と称する）を、１つの操作入力を構成する一連の動作と判定して、叩かれた又は振られた回数を計数する。そして、所定の時間叩く又は振るユーザ動作を検出しなかったときに、主制御部２１は、当該一連のユーザ動作が終了したと判定して、計数した回数の一連の叩く又は振るユーザ動作から成る１つの操作（以下では、ｎ回叩く又は振る操作（ｎは、叩く又は振るユーザ動作を検出した回数）、あるいは、単に、叩く又は振る操作と称する）を検出する。
【００２９】
開閉センサ３３は、携帯電話機１の筐体が開かれている状態（図１（Ａ）、図１（Ｂ）に示す状態）にあるか、閉じられている状態（図１（Ｃ）に示す状態）にあるかを検出する。
【００３０】
このように、携帯電話機１には、加速度センサ３２が設けられており、この加速度センサ３２が、携帯電話機１の筐体が叩かれた又は振られたことを検出する。そして、この加速度センサ３２の検出出力は、主制御部２１に出力され、主制御部２１は、当該検出出力に基づいて叩く又は振る操作を検出する。また、開閉センサ３３が、携帯電話機１の筐体が開かれている状態か閉じられている状態かを検出する。この開閉センサ３３の検出出力は、主制御部２１に出力される。主制御部２１は、叩く又は振る操作を検出すると、筐体が開状態か閉状態かを開閉センサ３３の検出出力から判定する。そして、主制御部２１は、筐体が開状態か閉状態かに応じて、筐体が叩かれた又は振られた回数に対応する動作コマンドをメモリ２３から読み出し、読み出した動作コマンドに対応する処理を行う。
【００３１】
次に、図３を参照して、叩く又は振る操作と、携帯電話機１が行う処理（動作コマンド）との対応付けについて説明する。
図３は、携帯電話機１の筐体が叩かれた又は振られたときの処理の設定画面の例を示す図である。図３（Ａ）は、携帯電話機１の筐体を閉じた状態のときの動作コマンドの設定画面を示し、図３（Ｂ）は、携帯電話機１の筐体を開いた状態のときの動作コマンドの設定画面を示す。携帯電話機１の筐体が叩かれた又は振られたときの動作コマンドを設定するときには、ユーザは、図３（Ａ）及び図３（Ｂ）に示す設定画面を呼び出し、各設定画面で、それぞれ、携帯電話機１の筐体を閉じた状態のときの動作コマンドと、開いた状態のとき動作コマンドを設定する。また、このとき、動作コマンド毎に、叩く又は振る回数が設定される。なお、図３（Ａ）及び図３（Ｂ）に示した設定項目は一例であり、本発明は、このような設定項目に限定されるものではない。
【００３２】
例えば、図３（Ａ）の例では、携帯電話機１の筐体を閉じた状態では、「音声モードとマナーモードとの設定」として、叩く又は振る回数「１回」と設定され、「保留モードへの切り替え」として、叩く又は振る回数「２回」と設定され、「留守電モードへの切り替え」として、叩く又は振る回数「３回」と設定されている。
【００３３】
また、図３（Ｂ）の例では、携帯電話機１の筐体を開いた状態では、「メール操作状態への切り替え」として、叩く又は振る回数「１回」と設定され、「カメラ操作への切り替え」として、叩く又は振る回数「２回」と設定され、「テレビ受信への切り替え」として、叩く又は振る回数「３回」と設定されている。
【００３４】
次に、図４を参照して、メモリ２３の記憶する、叩く又は振る操作と動作コマンドとの対応付けについて説明する。図３（Ａ）及び図３（Ｂ）に示す設定画面で設定された情報は、閉状態コマンドテーブル及び開状態コマンドテーブルとして、メモリ２３に記憶される。
図４は、閉状態コマンドテーブル及び開状態コマンドテーブルの例を示す説明図である。図４（Ａ）は閉状態コマンドテーブルの例を示し、図４（Ｂ）は、開状態コマンドテーブルの例を示す。同図に示すように、閉状態コマンドテーブルおよび開状態コマンドテーブルの各行には、叩く又は振る回数と、動作コマンドとが対応付けて格納される。
【００３５】
次に、図５を参照して、携帯電話機１を叩く又は振る操作について説明する。
図５は、携帯電話機１を叩く又は振る操作の例を示す説明図である。
携帯電話機１の筐体を閉じた状態で操作する場合には、ユーザは、図５（Ａ）において矢印Ａ１１で示すように携帯電話機１の筐体を叩き、又は、図５（Ａ）において矢印Ａ１２で示すように携帯電話機１の筐体を振る。
【００３６】
また、携帯電話機１の筐体を開いた状態で操作する場合には、ユーザは、図５（Ｂ）において矢印Ａ２１で示すように携帯電話機１の筐体を叩き、又は、図５（Ｂ）において矢印Ａ２２で示すように携帯電話機１の筐体を振る。
【００３７】
ここで、図５（Ａ）の矢印Ａ１１又は矢印Ａ１２で示したように、携帯電話機１の筐体を閉じた状態で、ユーザが、携帯電話機１の筐体を叩き又は振ったとする。また、このとき、メモリ２３には、閉状態コマンドテーブルとして、図４（Ａ）に示す閉状態コマンドテーブルが記憶されていたとする。
【００３８】
この場合、携帯電話機１の筐体を閉じた状態でユーザが筐体を１回叩く又は振ると、動作モードは音声モードからマナーモードに切り替わる。また、携帯電話機１の筐体を閉じた状態でユーザが筐体を２回叩く又は振ると、動作モードは保留モードに切り替わる。また、携帯電話機１の筐体を閉じた状態でユーザが筐体を３回叩く又は振ると、動作モードは留守電モードに切り替わる。このとき、ユーザが携帯電話機１の筐体を叩く又は振ることにより設定された動作状態は、携帯電話機１の筐体を閉じた状態で確認できるように、携帯電話機１の背面表示部２０に表示される。なお、この動作確認は、スピーカ１９が音声にて出力することにより行われるようにしてもよい。
【００３９】
また、ここで、図５（Ｂ）の矢印Ａ２１又は矢印Ａ２２で示したように、携帯電話機１の筐体を開いた状態で、ユーザが、携帯電話機１の筐体を叩き又は振ったとする。また、このとき、メモリ２３には、開状態コマンドテーブルとして、図４（Ｂ）に示す開状態コマンドテーブルが記憶されていたとする。
【００４０】
この場合、携帯電話機１の筐体を開いた状態でユーザが筐体を１回叩く又は振ると、動作モードはメール操作状態に切り替わる。また、携帯電話機１の筐体を開いた状態でユーザが筐体を２回叩く又は振ると、動作モードはカメラ操作状態に切り替わる。また、携帯電話機１の筐体を開いた状態でユーザが筐体を３回叩く又は振ると、動作モードはワンセグのテレビジョン受信状態に切り替わる。このとき、ユーザが携帯電話機１の筐体を叩く又は振ることにより設定された動作状態は、携帯電話機１の筐体を開いた状態で確認できるように、携帯電話機１の正面表示部１５に表示される。なお、この動作確認は、スピーカ１９が音声にて出力することにより行われるようにしてもよい
【００４１】
次に、図６を参照して、携帯電話機１の動作について説明する。
図６は、携帯電話機１の動作を示すフローチャートである。携帯電話機１は、当該携帯電話機１の電源を接続（ＯＮ）されると、同図の処理を開始し、電源を切断（ＯＦＦ）されるまで同図の処理を行う。
【００４２】
同図において、加速度センサ３２は加速度を測定し（ステップＳ１０１）、主制御部２１は、加速度センサ３２による加速度の検出出力に基づいて、叩く又は振る操作の有無を判定する（ステップＳ１０２）。叩く又は振る操作が行われなかったと判定した場合（ステップＳ１０２：ＮＯ）、主制御部２１は、通常動作を実行する（ステップＳ１１１）。ここでいう通常動作とは、操作部１３の受け付けるユーザの操作に基づいて主制御部２１が行うコマンド実行や、無線通信部２６が検出する電話着信に基づいて主制御部２１が各部を制御して行う通話時の処理など、叩く又は振る操作以外の事象を契機として、携帯電話機１が行う動作である。
その後、主制御部２１は、ステップＳ１０１に戻り、同図の処理を繰り返す。
【００４３】
一方、携帯電話機１の筐体が叩かれる又は振られると、上記のステップＳ１０１において、加速度センサ３２が加速度を検出する。この加速度に基づいて、ステップＳ１０２において叩く又は振る操作が行われたと判定すると（ステップＳ１０２：ＹＥＳ）、主制御部２１は、開閉センサ３３の検出出力から、筐体の開閉状態を判定する（ステップＳ１２１）。
【００４４】
ステップＳ１２１で、携帯電話機１の筐体が閉状態であると判定された場合（ステップＳ１２１：ＮＯ）、主制御部２１は、叩く又は振るユーザ動作の回数（加速度の検出回数）に応じて、図４（Ａ）に示した閉状態コマンドテーブルに基づいて、コマンド処理を実行する（ステップＳ１３１）。すなわち、図４（Ａ）に示した閉状態コマンドテーブルの例では、主制御部２１は、１回叩く又は振る操作（加速度の検出回数が１回）なら、音声モードからマナーモードに切り替える処理を行い、２回叩く又は振る操作（加速度の検出回数が２回）なら、保留モードに切り替える処理を行い、３回叩く又は振る操作（加速度の検出回数が３回）なら、留守電モードに切り替える処理を行う。ステップＳ１３１でのコマンド処理が終了すると、主制御部２１は、ステップＳ１０１に戻り、同図の処理を繰り返す。
【００４５】
ステップＳ１２１で、携帯電話機１が開状態であると判定した場合（ステップＳ１２１：ＹＥＳ）、主制御部２１は、図４（Ｂ）に示した開状態コマンドテーブルに基づいて、コマンド処理を実行する（ステップＳ１４１）。すなわち、図４（Ｂ）に示した開状態コマンドテーブルの例では、主制御部２１は、１回叩く又は振る操作（加速度の検出回数が１回）なら、メール操作状態に切り替える処理を行い、２回叩く又は振る操作（加速度の検出回数が２回）なら、カメラ操作に切り替える処理を行い、３回叩く又は振る操作（加速度の検出回数が３回）なら、テレビ受信に切り替える処理を行う。ステップＳ１４１でのコマンド処理が終了すると、主制御部２１は、ステップＳ１０１に戻り、同図の処理を繰り返す。
【００４６】
以上説明したように、本実施形態では、ユーザが携帯電話機１の筐体を叩く又は振る操作を行うと、携帯電話機１は、対応する処理を行う。このとき、本実施形態では、携帯電話機１の筐体が開いている状態か閉じている状態かに応じて、異なる処理が実行できる。これにより、多機能の場合でも操作が複雑にならず、また、誤操作を低減できる。
【００４７】
例えば、携帯電話機１の筐体を開いている状態では、ユーザがテレビ視聴することが考えられるが、閉じている状態ではテレビ視聴できない。また、携帯電話機１の筐体を閉じた状態では、着信モード変更を行う等の処理をすることが考えられる。本実施形態では、携帯電話機１の筐体を開いた状態と閉じた状態とで、処理を替えることにより、比較的少ない操作回数（振る回数、叩く回数）で、より多数種類の処理を行うことができる。また、携帯電話機１をの筐体を閉じた状態でテレビ機能を起動させて電力消費してしまうなど、不適切な処理を行うことを防止できる。
【００４８】
本発明は、上述した実施形態に限定されるものではなく、この発明の要旨を逸脱しない範囲内で様々な変形や応用が可能である。
【符号の説明】
【００４９】
１  携帯電話機
１０  上側筐体
１１  下側筐体
１２  ヒンジ部
１３  操作部
１４  送話部
１５  正面表示部
１６  撮像部
１７  受話部
１９  スピーカ
２０  背面表示部
２１  主制御部
２２  ＲＯＭ
２３  メモリ
２６  無線通信部
２７  音声処理部
２８  ワンセグ受信部
２９  ＧＰＳ機能部
３０  近距離通信部
３１  音声増幅部
３２  加速度センサ
３３  開閉センサ
【図１】
2012120077.tif 000003
【図２】
2012120077.tif 000004
【図３】
2012120077.tif 000005
【図４】
2012120077.tif 000006
【図５】
2012120077.tif 000007
【図６】
2012120077.tif 000008